(57)【特許請求の範囲】
【請求項１】
複数のランプチューブと、
前記各ランプチューブの両端の外側表面に配置される上部電極を含む一対の電極用上部導電性部材と、前記上部電極と結合する下部電極を含む一対の電極用下部導電性部材とからなる電極枠体と、
前記ランプチューブと前記電極枠体とを収納する収納容器と、
前記ランプチューブから発生する光を、情報が含まれたイメージ光に変調する液晶表示パネルと、を含み、
前記ランプチューブは、前記電極枠体と電気的に連結され、
前記上部電極の長さは、前記下部電極の長さと異なることを特徴とする液晶表示装置。
【請求項２】
それぞれの前記ランプチューブとそれぞれの前記電極との間には接着成分を有する誘電層がさらに形成されていることを特徴とする請求項１に記載の液晶表示装置。
【請求項３】
前記上部電極の長さは、前記下部電極の長さより短いことを特徴とする請求項１に記載の液晶表示装置。
【請求項４】
蛍光物質が内壁に塗布され放電ガスが注入された複数のランプチューブを収納する収納容器に相互離隔された一対の電極用下部導電性部材を設ける段階（ａ）と、
前記下部導電性部材が含む下部電極に前記各ランプチューブの一部を結合する段階（ｂ）と、
前記各ランプチューブの結合部上に相互離隔された一対の前記下部電極の長さより短い上部電極を含む電極用上部導電性部材を設ける段階（ｃ）と、
前記ランプチューブから光の供給を受けてイメージをディスプレーする液晶表示パネルを前記収納容器に結合する段階（ｄ）と、を含むことを特徴とする液晶表示装置の組立方法。
【請求項５】
前記下部電極及び上部電極に前記ランプチューブを結合する段階は、前記ランプチューブと前記下部電極、上部電極との間に誘電層を形成する段階をさらに含むことを特徴とする請求項４に記載の液晶表示装置の組立方法。
【発明の詳細な説明】
【０００１】
【発明の属する技術分野】
本発明は、液晶表示装置及びその組立方法に関するものである。
【０００２】
【従来の技術】
一般に、液晶表示装置（Ｌｉｑｕｉｄ  Ｃｒｙｓｔａｌ  Ｄｅｖｉｃｅ；ＬＣＤ）は液晶を精密に制御し、情報処理装置で処理されたデータを文字、映像、動映像などの方式によりディスプレーする平板表示装置の一つに定義することができる。
【０００３】
このような役割を有する液晶表示装置においてディスプレーが実施されるようにするためには、液晶、電界形成装置及び光供給装置を必要とする。
【０００４】
このとき、液晶は電界の強さに対し敏感に反応し、電界形成装置は液晶を精密に制御するに適合した構成を有し、光供給装置は制御された液晶を通過する光を提供する。
【０００５】
これら液晶、電界形成装置、光供給装置は全て重要である。これは、これらのうちのいずれか一つでも正常動作されない場合、情報をディスプレーすること自体が不可能であることを意味する。
【０００６】
これらのうち、特に光供給装置は重要である。これは液晶及び電界形成装置が正確に動作するとしても、光供給装置が正常に動作しない場合、正常なディスプレーが不可能であることを意味する。
【０００７】
このように、重要な役割を有する光供給装置は再び光を発生させるランプ、ランプから発生された光の輝度を均一にする光学シートグループにより構成される。光供給装置はランプアセンブリと称される。
【０００８】
これらのうち、光を発生させるランプは、太陽光のように白色光であり、面光源光学分布を有する光を発生するランプが一番理想的である。しかし、実際、このような条件を満足させるランプを製作すること自体が相当に難しいために、ランプは線光源光学分布を有するランプが主に使用される。
【０００９】
図１は線光源光学分布を有する従来ランプの一例を示す。図１に示したランプ１０は透明なランプチューブ１、ランプチューブ１の内部に塗布された蛍光物質（図示せず）、ランプチューブ１の内部に注入された放電ガス２、ランプチューブ１の内部両端に位置した一対の内部電極３、４により構成される。
【００１０】
このような構成を有するランプ１０の２個の内部電極３、４には、外部から放電電圧が印加される。この一例として、いずれか一方の電極４から他方の電極３へはこれらの電極間の電位差により電子５の移動が発生される。このようにいずれか一方の電極４から他方の電極３に移動される電子５は、放電ガス２と衝突する。この放電ガス２は放電ガス原子、又他の電子、中性子に解離され、プラズマ状態になる。この過程で発生した所定波長の光６は蛍光物質を刺激する。この過程でランプチューブ１の外側には可視光線７が発生される。
【００１１】
勿論、このような構成及び動作されるランプ１０にかかる放電電圧は、インバータ（図示せず）及び変圧器により実施される。
【００１２】
最近、このような構成を有する一つのランプ１０が照明することができるディスプレー面積より大きな面積を有する表示装置の技術開発が急速に進行されている。このようにディスプレー面積が一つのランプ１０が照明することができるディスプレー面積より大きくなる場合、ランプ１０の長さも、増加されるしかない。
【００１３】
しかし、このようにランプ１０の長さが増加される場合、電極３、４間距離が長くなることにより要求される放電電圧が上昇する結果となる。このとき、放電電圧を上昇させるため、変圧器でより高く昇圧すべきであることを意味する。結果的に、これにより消費電力が大きく上昇されるなどの多様な問題点が発生する。
【００１４】
このような問題点を解決するために図２に図示されたように２個以上のランプ２０、３０、４０を一つのインバータ５０に連結する“マルチランプ”方式が研究されたことがある。
【００１５】
このようなマルチランプ方式は、前述した昇圧問題を解決することができるために、消費電力が上昇する問題は自然に解決される。一方、マルチランプ方式は図３に図示されたように実際に画面が表示される領域として定義される有効ディスプレー領域７０での“輝度不均一”問題を発生させる。
【００１６】
このとき、有効ディスプレー領域７０での輝度不均一は２つの原因により発生する。
【００１７】
このとき、第一の原因は線光源方式ランプ２０、３０、４０を使用するために発生される。この第一の原因による輝度不均一は“導光板”と称する輝度補償装置により克服される。
【００１８】
一方、第二の原因は複数個の線光源方式ランプ２０、３０、４０に存在する電流特性偏差及びインバータ５０からの電力供給方式の不合理性による。
【００１９】
これをより具体的に説明すると、次のとおりである。図２に示したように内部にプラズマが形成され、光が発生する方式のランプ２０、３０、４０は多くの電流が加えられば加えられるほどプラズマ密度が増加される特性を有する。
【００２０】
このように、プラズマ密度が増加されるほど多くの電流が流れる。即ち、このようなランプ２０、３０、４０は例えば、電流量が増加するほど抵抗が小さくなる可変抵抗と類似した電気的特性を有する。
【００２１】
このような、電気的特性を有するランプ２０、３０、４０が一つのインバータ５０に並列に連結された状態で、各ランプ２０、３０、４０には、同一の大きさの電力が供給される。このとき、複数個のランプ２０、３０、４０の電気的特性が全て同一であると、全てのランプが同一の明るさで点灯される。
【００２２】
しかし、実際には、複数個のランプ２０、３０、４０の電流特性を全て同一にすることは殆ど不可能である。このような理由で、電流特性が相対的に優れたランプは、電流供給が段々増加され明るくなり、電流特性が相対的に悪いランプは電流供給が段々減少される。
【００２３】
結局、複数個のランプを一つのインバータに連結した後、電力を供給する場合、各ランプ間の輝度偏差が段々大きくなる問題点を有する。
【００２４】
このような問題は、複数個のランプに一対一でインバータを連結することにより克服される。しかし、このように複数個のランプにインバータを一対一で連結する場合、設置面積及び設置費用が大きく増加される等の問題点を有する。
さらに、従来の液晶表示装置は、液晶表示装置を組み立てる際に、複数のランプチューブに外部電極を取付ける工程と、その各電極同士を接続する配線を設ける工程とが必要であり、液晶表示装置の組立が複雑になるという問題点を有する。
【００２５】
【発明が解決しようとする課題】
本発明の第１目的は、上部電極を含む一対の電極用上部導電性部材、および上部電極と結合する下部電極を含む一対の電極用下部導電性部材からなる電極枠体と、ランプチューブとを電気的に連結することで組立性能が向上する液晶表示装置を提供することにある。
【００２６】
本発明の第２目的は、収納容器の下から順に、下部電極および第２連結部材が一体となった電極用下部導電性部材、複数のランプチューブ、および上部電極および第１連結部材が一体となった電極用上部導電性部材を接合する液晶表示装置の組立方法を提供することにある。
【００３１】
【発明の解決するための手段】
上述した第１目的を達成するための本発明による液晶表示装置は、複数のランプチューブと、前記各ランプチューブの両端の外側表面に配置される上部電極を含む一対の電極用上部導電性部材と、前記上部電極と結合する下部電極を含む一対の電極用下部導電性部材とからなる電極枠体と、前記ランプチューブと前記電極枠体とを収納する収納容器と、前記ランプチューブから発生する光を、情報が含まれたイメージ光に変調する液晶表示パネルと、を含み、前記ランプチューブは、前記電極枠体と電気的に連結され、前記上部電極の長さは、前記下部電極の長さと異なることを特徴とする。
【００３２】
上述した第２目的を達成するための本発明による液晶表示装置の組立方法は、蛍光物質が内壁に塗布され放電ガスが注入された複数のランプチューブを収納する収納容器に相互離隔された一対の電極用下部導電性部材を設ける段階（ａ）と、前記下部導電性部材が含む下部電極に前記各ランプチューブそれぞれの一部を結合する段階（ｂ）と、前記各ランプチューブそれぞれの結合部上に相互離隔された一対の前記下部電極の長さより短い上部電極を含む電極用上部導電性部材を設ける段階（ｃ）と、前記ランプチューブから光の供給を受けてイメージをディスプレーする液晶表示パネルを前記収納容器に結合する段階（ｄ）と、を含むことを特徴とする。
【００３８】
【発明の実施の形態】
以下、図面を参照して本発明の望ましい実施形態をより詳細に説明する。
【００３９】
図４には本発明の一実施形態によるランプ１００が図示されている。このランプ１００は光が発生されるようにするために、ランプチューブ１１０、ランプチューブ１１０の両側に電力が供給されるようにする電極１２２、１２４；１２０により構成される。
【００４０】
このとき、ランプチューブ１１０は両端が密封されたチューブ形状を有する。このランプチューブ１１０は一実施形態として、ガラス材質により製作される。一方、図６に示したように、このランプチューブ１１０の内壁には、一実施形態として蛍光物質１１２が塗布され、及び放電ガス１１４が注入される。
【００４１】
一方、ランプチューブ１１０を点灯させるための電極１２０は、一実施形態としてランプチューブ１１０と分離されるように別途製作される。このとき、電極１２０の形状は、ランプチューブ１１０が挿入されランプチューブ１１０を収納するに適合した構造を有する。
【００４２】
これにより、電極１２０はランプチューブ１１０との接触及びランプチューブ１１０の収納に適合した構造を有することにより、相当に多様な実施形態を有する。
【００４３】
本発明の実施形態のうちの望ましい２つの実施形態を説明する。具体的に、図４に示したように、電極１２０は最も単純にランプチューブ１１０の両端部が収納されるに適合するように両端が開口され、又は一側のみ塞がった導電性円筒形状を有する。
【００４４】
このような形状により製作された電極１２０の内径は、ランプチューブ１１０の表面と離隔されることなしに、うまく合うように製作される。
【００４５】
図５と図６には図４とは異なる他の実施形態が図示されている。図５及び図６に示すように、電極１２０の内側面とランプチューブ１１０の表面との間には誘電層１３０がさらに形成される。このとき、誘電層１３０は接着成分が含まれ電極１２０とランプチューブ１１０とを相互に固定させる役割も有するようにすることがよい。
【００４６】
このような状態で、電極１２０間に放電が起こるのに十分な交流放電電圧が、例えば、インバータ及び変圧器から印加されると、電極１２０間の電位差によって、ランプチューブ１１０の内部では放電現象が発生する。
【００４７】
このとき、放電により生成された電子は高速にランプチューブ１１０を横切って動く。このランプチューブ１１０の内部に注入された放電ガス１１４は電子と衝突する。この結果、放電ガス１１４は放電ガスイオンと電子及び中性子などに解離される。結果的に、ランプチューブ１１０内部には導電性プラズマ環境が形成される。このように、プラズマ化された放電ガスは正極性を有するので、例えば、現在負極性を有する電極１２２側に引かれ、電子は例えば、現在正極性を有する電極１２４側に引かれる。
【００４８】
一方、ランプチューブ１１０の内部にプラズマ環境が形成される過程で発生した所定の波長を有する光は、図６に図示された蛍光物質１１２を刺激し、蛍光物質１１２からディスプレーに利用される可視光線を発生させる。
【００４９】
一方、図５に示すように、ランプチューブ１１０の全体有効発光領域の長さをＬとするとき、ランプチューブ１１０から実際にディスプレーに利用される光が発生することができる実際有効発光領域は、全体有効発光領域の長さＬから２個の電極の長さＥ１、Ｅ２を引いた長さにすぎない。図５での実際有効発光領域はＬ１で表示されている。
【００５０】
このように、ランプチューブ１１０の実際有効発光領域の長さＬ１が全体有効発光領域の長さＬに比べ短くなる分だけ、電気エネルギーを消耗して発生された光は減少される。これにより、電気エネルギーを消耗して発生した光の利用効率は低下する。
【００５１】
添付された図７乃至図９には、図４乃至図６の実施形態に比べ光の利用効率及び光学特性を自ら補償することが可能であるランプ２００が説明されている。
【００５２】
先に、光学特性を自ら補償可能であるランプ２００はランプチューブ２１０の外側面に電極２２２、２２４；２２０を形成することにより形成される。
【００５３】
これは、ランプチューブ２１０の内部に電極が形成されると、従来電子及びイオンの密度の高い分だけ電流の流れも増加されるので、ランプ間輝度不均一を招来する原理として、本発明の理解において相当に重要な点である。
【００５４】
ランプチューブ２１０の外部に電極２２０を形成する場合、ランプチューブ２１０の一部は電極２２０により覆われ、この覆われた部分は誘電体の役割を有する。
【００５５】
具体的に、ランプチューブ２１０のうちの電極２２０により覆われる部分は、ランプチューブ２１０の内部で電子及びイオンの密度が高くなるほどランプチューブ２１０の内部に存在する電子が電極２２０に移動することを妨害する役割を有する。
【００５６】
より具体的に、電極２２０、ランプチューブ２１０、ランプチューブ２１０内部のプラズマは一種のキャパシタンスの役割を有する。このように、プラズマが形成された放電空間と電極との間に誘電体を挿入し、誘電容量インピーダンスを形成する場合、放電空間内のイオン及び電子濃度が指定された濃度より高くなるほど誘電容量インピーダンスにより電流の流れが逆に妨害される。
【００５７】
これにより、製作当時に互いに相違する電流特性がある複数個のランプが一つのインバータにより駆動されるとき、電流の流れが優れた電極は電流の流れが妨害され、電流の流れが優れない電極は電流の流れが向上される過程を反覆して、ランプ間輝度偏差が補正される。
【００５８】
一方、このように輝度偏差を補償するランプは、電極２２０がランプチューブ２１０の外部に位置するために、光の利用効率が減少され、これを克服するための構成が図７に図示されている。
【００５９】
図７に示すように、蛍光物質が塗布され及び放電ガスが形成された状態に密封されたランプチューブ２１０を収納する電極２２２、２２４；２２０は、円周面の一部が開口され、開口部２２２ｂ、２２４ｂが形成される。このとき、開口部２２２ｂ、２２４ｂは光が供給される方向に形成されるようにされ、これにより有効ディスプレー領域を最大化することができる。
【００６０】
一方、このように電極２２０の一部を図８のように切開し、開口部２２２ｂ、２２４ｂを形成することにより光の利用効率を向上させる場合、光の利用効率は改善されるが、電極面積が小さくなって図４の形態を有する電極１２０に比べ消費電力の側面で不利である。
【００６１】
このような問題点は、光の利用効率を向上させるために電極２２０の一部を開口させた状態で、図７に示したように電極２２０のうちの光を供給しなくてもよい方向に、電極２２０の一部として延長部２２２ａ、２２４ａを形成することにより、簡単に解決することができる。
【００６２】
勿論、このとき、消費電力が増加されることを防止するために用意された延長部２２２ａ、２２４ａはディスプレーされる光の経路を妨害しないようにする。
【００６３】
以下、本発明の一実施形態によるランプの製造方法を添付された図面を参照し説明する。
【００６４】
まず、図７乃至図９に示すように、第１製造工程を通じて内壁に蛍光物質２１２が均一な厚さに塗布され、放電ガス２１４が所定圧力で注入された状態で密封されたランプチューブ２１０を製作する。
【００６５】
一方、第２製造工程を通じて、第１製造工程で製造されたランプチューブ２１０と結合される電極２２０が形成される。このとき、第２製造工程を通じて製造される電極２２０は一側端部が塞がったキャップ（ｃａｐ）形状を有する。又は、電極２２０は円周面の一部が切開された開口部２２４ａ、２２４ｂを有する円筒形状を有することができる。
【００６６】
このように第１製造工程及び第２製造工程を通じて個別的に製造されたランプチューブ２１０及び電極２２０は、相互に組み合わせられる。
【００６７】
より具体的に、電極２２０の内側面がランプチューブ２１０の外周面と向き合うようにランプチューブ２１０が電極２２０に挿入されることにより、電極２２０とランプチューブ２１０は相互に結合される。
【００６８】
図１０乃至図１２には本発明の他の実施形態によるランプアセンブリ３００が図示されている。
【００６９】
図１０に示すように、ランプアセンブリ３００はランプ３１０と導電性ソケット３２０とにより構成される。
【００７０】
このとき、ランプ３１０はやはり両端部が塞がったチューブ形状を有し、その外周面の両側には一対の電極３１５がキャッピングされている。このとき、電極３１５は金めっき方式、コーティング方式など多様な方法により具現される。特に、電極３１５はＩＴＯ又はＩＺＯ物質を使用することができ、真空蒸着方式により形成されることができる。
【００７１】
このようなランプ３１０の内部側面には図１２に図示されたように蛍光物質３１２が塗布され、ランプ３１０の内部空間には放電ガス３１４が注入される。
【００７２】
このように、蛍光物質３１２が塗布され及び放電ガス３１４が形成された状態で密封されたランプ３１０の両端部は、ランプ３１０と別途で製作された導電性ソケット３２０に収納される。
【００７３】
このとき、ランプ３１０が収納される導電性ソケット３２０は望ましい実施形態として円筒形状を有し、円周面の一部が切開され開口部３２２ａ、３２４ａが形成される。このように、導電性ソケット３２０の一部が開口されるのは、前述したように実際に光が放出される有効発光領域を最大化するためである。
【００７４】
このとき、図１１又は図１２に示すように、ランプ３１０の外側面に形成された電極３１５と導電性ソケット３２０は直接密着され電気的に連結される。
【００７５】
一方、図７乃至図９の過程を経て組立てられたランプ２００は、図１３以降に図示されたような液晶表示装置に複数個が一つのセットとして適用されることにより、より向上された機能を実現する。
【００７６】
以下、図１３に示すように、前述したランプを含む液晶表示装置を説明する。本発明では一実施形態として図７乃至図９に図示されたランプが装着された液晶表示装置を説明する。
【００７７】
図１３に示すように、液晶表示装置９００は少なくとも１個のランプ２００、電力供給装置２７０及び拡散プレート２８０により構成されたランプアセンブリ２９０、収納容器４００、液晶表示パネルアセンブリ５００及び液晶表示パネルアセンブリ５００と収納容器４００が結合されるようにするミドルシャーシ（図示せず）及びケース６００により構成される。
【００７８】
一方、図１４、図１５又は図１６の示すように、液晶表示パネルアセンブリ５００はカラーフィルタ基板５１０、液晶５２０、ＴＦＴ基板５３０及び駆動モジュール５４０により構成される。
【００７９】
これらのうち、カラーフィルタ基板５１０は図１６に図示されたように透明基板５１１、ＲＧＢ色画素５１３、共通電極５１５により構成される。
【００８０】
このとき、ＲＧＢ色画素５１３は透明基板５１１の一側面に形成される。このＲＧＢ色画素５１３は薄膜形成技術により透明基板５１１上にマトリックス形態に形成される。このように、マトリックス形態に配列されたＲＧＢ色画素５１３は、白色光を通過させ、レッド波長を有する光、グリーン波長を有する光、ブルー波長を有する光のうちのいずれか一つをフィルタリングする。
【００８１】
一方、このように透明基板５１１にＲＧＢ色画素５１３が形成された状態で、透明基板５１１の全面積にわたって一実施形態としてインジウムティンオキサイド（ＩＴＯ）物質である共通電極５１５が薄膜形成技術により形成される。このとき、共通電極５１５として、インジウムティンオキサイド物質以外であっても、透明であればどんな導電性物質が使用されてもよい。
【００８２】
ＴＦＴ基板５３０は、透明基板５３１、薄膜トランジスター５３３、画素電極５３５、及び信号印加線５３７により構成される。
【００８３】
透明基板５３１の一側面には、半導体薄膜工程技術によりマトリックス形態により複数個の薄膜トランジスター５３３が形成される。このとき、薄膜トランジスター５３３の個数は前述したＲＧＢ色画素５１３の個数と同一である。
【００８４】
この薄膜トランジスター５３３は図１５に示すように、ゲート電極（Ｇ）、ソース電極（Ｓ）、ドレーン電極（Ｄ）及びチャンネル層（Ｃ）により構成される。
【００８５】
より具体的に、チャンネル層（Ｃ）は導体から不導体に、不導体から導体に電気的特性が変更される。一実施形態として、チャンネル層（Ｃ）は透明基板５３１の上面に形成される。一方、ゲート電極（Ｇ）は透明基板５３１の上面に先に形成されたチャンネル層（Ｃ）の上面にチャンネル層（Ｃ）と絶縁されるように形成される。また、ソース電極（Ｓ）はゲート電極（Ｇ）を基準にチャンネル層（Ｃ）の一側に電気的に連結される。一方、ドレーン電極（Ｄ）はゲート電極（Ｇ）を基準にし、チャンネル層（Ｃ）の他方に電気的に連結される。
【００８６】
このように、マトリックス形態に配列された薄膜トランジスター５３３のうち、各行に属する全ての薄膜トランジスターのゲート電極（Ｇ）にはゲートライン５３７ｂが連結され、各列に属する全ての薄膜トランジスターのソース電極（Ｓ）にはデータライン５３７ａが連結される。
【００８７】
このゲートライン５３７ｂ及びデータライン５３７ａには駆動モジュール５４０が連結され薄膜トランジスター５３３に駆動信号を印加する。
【００８８】
一方、全ての薄膜トランジスター５３３のドレーン電極（Ｄ）には一実施形態として、透明であり導電性であるインジウムティンオキサイド物質により構成された画素電極５３５が薄膜工程技術により形成される。このとき、画素電極５３５は前述したカラーフィルタ基板５１０のＲＧＢ色画素５１３と相互に向き合う関係を有する。
【００８９】
このような構成を有するＴＦＴ基板５３０とカラーフィルタ基板５１０との間には、共通電極５１５と画素電極５３５との間の電界により光透過度が変更される液晶５２０が注入され液晶層を形成する。
【００９０】
このような構成を有する液晶表示パネルアセンブリ５００には前述したような図４乃至図６に図示されたランプ１００、図７至図９に図示されたランプ２００及び図１０乃至図１２に図示されたランプ３００のうちのいずれか一つが図１３の位置関係を有するように適用される。
【００９１】
このとき、ランプ１００、２００、３００は全て図１７に示したように並列方式により電力供給装置２７０から電力の供給を受けてディスプレーに必要である光が供給される。
【００９２】
一方、図１４には、前述した図４、図７、図１０に図示された電極と他の共通電極によりランプチューブに電力を供給する方式が説明されている。以下、ランプに図面符号８５０を、ランプチューブに図面符号８４０を付与する。
【００９３】
このとき、図１４に示すようにランプチューブ８４０は収納容器４００の内部に複数個が並列方式に配列される。このランプチューブ８４０は内部に放電ガスが注入され、蛍光物質が内壁に塗布される。
【００９４】
このとき、ランプチューブ８４０は２個の共通電極（電極枠体）８００により電力を同時に供給受ける。より具体的に、この共通電極８００のうちの一実施形態として、いずれか一側の共通電極は少なくとも２個以上の切片により構成されることができる。これは共通電極８００とランプチューブ８４０の組立性能を向上させるためのである。本発明では、一実施形態として二つに分けられた共通電極８００を使用する。この２個の共通電極８００は、上部共通電極（電極用上部導電性部材）８１０と下部共通電極（電極用上部導電性部材）８２０とからなる。
【００９５】
このとき、下部共通電極８２０は一実施形態としてランプチューブ８４０と同数設けられたランプチューブ受け台（下部電極）８２２及びこれらを互いに電気的に連結する第１連結部材８２４により構成される。このとき、ランプチューブ受け台８２２はランプチューブ８４０の底面を支持し、第１長さＷ１を有する。
【００９６】
一方、下部共通電極８２０と電気的に結合される上部共通電極８１０は、ランプチューブカバー（上部電極）８１２及びこれらを相互電気的に連結する第２連結部材８１４により構成される。このとき、ランプチューブカバー８１２はランプチューブ８４０と同数設けられ、ランプチューブカバー８１２の長さはランプチューブ受け台８２２の第１長さより短い第２長さＷ２を有する。
【００９７】
このように、ランプチューブカバー８１２の長さＷ２がランプチューブ受け台８２２の長さＷ１より短くしたのは、ランプチューブ８４０から発生した光がランプチューブカバー８１２により遮られてしまう領域を最小化するためである。
【００９８】
このような構成を有するランプ８５０は収納容器４００の基底面に固定される。このように、収納容器４００の基底面に固定されたランプ８５０から発生された光は、部分的に輝度が高く又は低くなる状態が反覆され、非常に不均一な輝度分布を有する。
【００９９】
このような、不均一な輝度分布を克服するために本発明では、ランプ８５０と液晶表示パネルアセンブリ５００との間に光を拡散させる拡散プレート２８０がさらに設けられる。
【０１００】
以下、本発明の一実施形態による液晶表示装置の独特な組立方法を図１４に示すようにより具体的に説明する。
【０１０１】
収納容器４００の内側基底面両側には、ランプチューブ８４０の両端部と接触される程度に離隔されたランプチューブ受け台８２２が設けられる。このランプチューブ受け台８２２にはランプチューブ８４０が定着される。ランプチューブ８４０がランプチューブ受け台８２２に定着される以前に、ランプチューブ受け台８２２に要求される誘電容量を有する誘電層（図示せず）がさらに形成される。
【０１０２】
このように、ランプチューブ受け台８２２にランプチューブ８４０が結合された状態で、ランプチューブ８４０に再びランプチューブカバー８１２が結合される。このランプチューブカバー８１２とランプチューブ８４０とが面する所には、要求される誘電容量を有する誘電層（図示せず）がさらに形成される。
【０１０３】
これにより、収納容器４００の内部にランプチューブ受け台８２２、ランプチューブ８４０及びランプチューブカバー８１２が収容された状態で、収納容器４００の上面には、ミドルシャーシ（図示せず）がさらに組立てられる。このミドルシャーシは収納容器４００と拡散プレート２８０及び液晶表示パネルアセンブリ５００が相互に結合されるようにする役割を有する。
【０１０４】
このミドルシャーシが収納容器４００に結合された状態で、一実施形態として、ミドルシャーシの上面には、図１４に示したように、拡散プレート２８０が指定された位置に固定される。拡散プレート２８０の上面には、液晶表示パネルアセンブリ５００が固定され、液晶表示装置が組立てられる。
【０１０５】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【０１０６】
【発明の効果】
上述した本発明によると、組立の際に、ランプチューブを配置する位置を上部電極および下部電極の位置によって機械的に決めることができるとともに、各ランプチューブの電極同士を接続する配線を別途に設ける必要がなく、組立性能が向上するという効果を有する。
【図面の簡単な説明】
【図１】従来のランプの構成及び作動方法を説明するための概念図である。
【図２】図１のランプを並列に一つのインバータに連結した状態を示した概念図である。
【図３】図２の方式によりディスプレーを実施したとき発生する輝度不良を示した概念図である。
【図４】本発明の一実施形態によるランプを示した斜視図である。
【図５】図４のランプチューブと電極が結合された状態での断面図である。
【図６】図５のＢ部分の拡大図である。
【図７】本発明の他の実施形態によるランプを示した斜視図である。
【図８】図７のランプチューブと電極が結合された状態での断面図である。
【図９】図８のＤ部分の拡大図である。
【図１０】本発明の他の実施形態によるランプを示した斜視図である。
【図１１】図１０のランプチューブと電極が結合された状態での断面図である。
【図１２】図１１のＥ部分の拡大図である。
【図１３】本発明の一実施形態によるランプを含む液晶表示装置の概念図である。
【図１４】本発明の一実施形態による液晶表示装置の分解斜視図である。
【図１５】本発明の一実施形態による液晶表示パネルアセンブリのＴＦＴ基板を示す分解斜視図である。
【図１６】本発明の一実施形態によるカラーフィルタ基板を示す部分断面図である。
【図１７】本発明の一実施形態による複数個のランプとインバータとの関係を示す概念図である。
【符号の説明】
１００、２００、３１０    ランプ
１１０、２１０    ランプチューブ
１１２    蛍光物質
１１４、２１４、３１４    放電ガス
１２０、２２０、３１５    電極
１３０    誘電層
２２２ｂ、２２４ｂ      開口部
２７０    電力供給装置
２８０    拡散プレート
３００    ランプアセンブリ
３１２    蛍光物質
３２０    導電性ソケット
９００    液晶表示装置
【図１】
0004132866.tif 000002
【図２】
0004132866.tif 000003
【図３】
0004132866.tif 000004
【図４】
0004132866.tif 000005
【図５】
0004132866.tif 000006
【図６】
0004132866.tif 000007
【図７】
0004132866.tif 000008
【図８】
0004132866.tif 000009
【図９】
0004132866.tif 000010
【図１０】
0004132866.tif 000011
【図１１】
0004132866.tif 000012
【図１２】
0004132866.tif 000013
【図１３】
0004132866.tif 000014
【図１４】
0004132866.tif 000015
【図１５】
0004132866.tif 000016
【図１６】
0004132866.tif 000017
【図１７】
0004132866.tif 000018